(57)【要約】      （修正有）【課題】ボルトに対するナットの緩み止めがカシメ止めにより確実に行えながら、必要に応じてナットをボルトから容易に取り外せるようにしたボルトとナットの緩み止め構造を提供する。【解決手段】ボルト１のネジ軸１ｂ先端部に軸方向に延びる円筒状の中央穴部１ｃを形成し、ナット２の軸方向一端部に上方に向けて変形可能なように所定長さで薄肉の円筒ネジ孔部２ｃを一体に突出形成して、ナット２のボルト１への螺着後、ボルト１の中央穴部１ｃに、拡径工具における先端テーパー状のハンマー体３を軸方向から圧入し、ボルト１の中央穴部１ｃとナット２の円筒ネジ孔部２ｃとを一緒にラッパ状に拡径変形させて緩み止めすべく構成した。【選択図】図１
0003182047.tif 000002
【実用新案登録請求の範囲】
【請求項１】
ボルトとこれに螺合するナットからなり、一方のボルトにはそのネジ軸先端部に軸方向に延びる円筒状の中央穴部が形成され、他方のナットにはその軸方向一端部に上方に向けて変形可能なように所定長さで薄肉の円筒ネジ孔部が一体に突出形成されており、ナットのボルトへの螺着後、ボルトの中央穴部に、拡径工具の先端がテーパー状のハンマー体を軸方向から圧入して、ボルトの中央穴部とナットの円筒ネジ孔部とを一緒にラッパ状に拡径変形させることにより緩み止めすべく構成されていることを特徴とするボルトとナットの緩み止め構造。
【請求項２】
ナットが軸方向他端部に皿状のフランジを備えていると共に、フランジの座面側で内径部にフランジに弾力を持たせるための切欠部が形成されており、アルミ材などの柔らかい被締結部材を締結するときにフランジを撓ませてフランジの被締結部材における座面への陥没を阻止すると同時に弾性復元力による非回転状態の緩み止め機能を具備することを特徴とする請求項１記載のボルトとナットの緩み止め構造。
【請求項３】
拡径工具としてエアーハンマーを用い、先端がテーパー状のハンマー体の押し込みによりボルトの中央穴部とナットの円筒ネジ孔部とを段階的に拡径変形させる一方、テーパー状のハンマーの先端には、ボルトの中央穴部の底面に当接して上記押し込み量を規制する規制体が突出長さ調整可能に突設されており、この規制体の突出長さ調整によりボルトの中央穴部とナットの円筒ネジ孔部とが求める所定角度でラッパ状に拡径変形されることを特徴とする請求項１記載のボルトとナットの緩み止め構造。
【請求項４】
ハンマー体のテーパー状外周部に１つ又は複数個の突起部が形成されており、この突起部をもつハンマー体の圧入によりボルトの中央穴部とナットの円筒ネジ孔部とが所定角度でラッパ状に拡径変形されると共に、部分的に突部係合していることを特徴とする請求項３記載のボルトとナットの緩み止め構造。
【考案の詳細な説明】
【技術分野】
【０００１】  本考案は、ボルトへのナットの螺合を行った後、ナット又はボルトをカシメ止めして緩み止めを行うボルトとナットの緩み止め構造に関する。
【背景技術】
【０００２】  従来、カシメによるボルトとナットの緩み止め構造として、一方のボルトにはその軸端の外周一部に軸方向に延びるスリットを形成させ、他方のナットにはスリット内に向けて圧潰変形せしめうる薄肉の筒状突縁部を同心状に一体形成させてなるものが知られている。【０００３】  そして、ボルトへのナットの螺合を行った後、ナットの筒状突縁部をボルトのスリット内に向けて圧潰変形せしめて、ボルトに対するナットの緩み止めを行うようになされている。
【先行技術文献】
【特許文献】
【０００４】
【特許文献１】  実開昭５１−９９２５１号  公報
【考案の概要】
【考案が解決しようとする課題】
【０００５】  ところで、上記したボルトとナットの緩み止め構造によれば、ナットの筒状突縁部をボルトの外周で軸方向に延びるスリット内に向けて圧潰変形せしめる構造であるため、ボルトに対するナットの緩み止めは確実に行えるのであるが、メンテナンスなどのためナットをボルトから取り外す必要性が生じた場合、ナットをボルトから容易に取り外すことが困難になってしまうといった問題があった。【０００６】  そこで、本考案は、ボルトに対するナットの緩み止めが簡単容易にかつ確実に行うことができ、その上、メンテナンスなどによりナットをボルトから取り外す必要性が生じた場合にも、ナットをボルトから取り外すことが可能なボルトとナットの緩み止め構造の提供を課題とする。
【課題を解決するための手段】
【０００７】  上記した問題を解決するため、本願の請求項１記載の考案は、ボルトとこれに螺合するナットからなり、一方のボルトにはそのネジ軸先端部に軸方向に延びる円筒状の中央穴部が形成され、他方のナットにはその軸方向一端部に上方に向けて変形可能なように所定長さで薄肉の円筒ネジ孔部が一体に突出形成されており、ナットのボルトへの螺着後、ボルトの中央穴部に、拡径工具における先端テーパー状のハンマー体を軸方向から圧入して、ボルトの中央穴部とナットの円筒ネジ孔部とを一緒にラッパ状に拡径変形させることにより緩み止めすべく構成されていることを特徴とする。【０００８】  また、本考案の請求項２記載の考案は、請求項１記載の構成おいて、ナットが軸方向他端部に皿状のフランジを備えていると共に、フランジの座面側で内径部にフランジに弾力を持たせるための切欠部が形成されており、アルミ材などの柔らかい被締結部材を締結するときにフランジを撓ませてフランジの被締結部材における座面への陥没を阻止すると同時に弾性復元力による非回転状態の緩み止め機能を具備することを特徴とする。【０００９】  本考案の請求項３記載の考案は、請求項１記載の考案において、拡径工具としてエアーハンマーを用い、先端テーパー状のハンマー体の押し込みによりボルトの中央穴部とナットの円筒ネジ孔部とを段階的に拡径変形させる一方、ハンマーの先端には、ボルトの中央穴部の底面に当接して上記押し込み量を規制する規制体が突出長さ調整可能に突設されており、この規制体の突出長さ調整によりボルトの中央穴部とナットの円筒ネジ孔部とが求める所定角度でラッパ状に拡径変形されることを特徴とする。【００１０】  本考案の請求項４記載の考案は、請求項３記載の考案において、ハンマー体のテーパー状外周部に１つ又は複数個の突起部が形成されており、この突起部をもつハンマー体の圧入によりボルトの中央穴部とナットの円筒ネジ孔部とが所定角度でラッパ状に拡径変形されると共に、部分的に突部係合していることを特徴とする。
【考案の効果】
【００１１】  本考案のボルトとナットの緩み止め構造によれば、上記した構成によりナットのボルトへの締結後、ボルトの中央穴部に、拡径工具における先端テーパー状のハンマー体を軸方向から圧入して、ボルトの中央穴部とナットの薄肉円筒ネジ孔部とを一緒にラッパ状に拡径変形させることにより、両者の緩み止めを確実に行うことができる。【００１２】  また、ナットにおけるフランジの座面側で内径部にフランジに弾力を持たせるための切欠部を形成するようにすれば、アルミ材などの柔らかい被締結部材を締結するときにフランジを撓ませてフランジの被締結部材における座面への陥没を阻止すると同時に弾性復元力による非回転状態の緩み止め機能を発揮することができるのでこのましい。【００１３】  また、拡径工具としてエアーハンマーを用いると共に、そのハンマー体の先端に、ボルトの中央穴部の底面に当接して上記押し込み量を規制する規制体を突出長さ調整可能に突設し、この規制体の突出長さ調整によりボルトの中央穴部とナットの円筒ネジ孔部とが求める所定角度でラッパ状に拡径変形されるように構成すれば、常に所定の力でカシメ止めでき、バラツキのない確実な緩み止め効果が得られる。また、カシメ力を設定できることから、メンテナンスなどによりナットをボルトから取り外す必要性が生じた場合に、ナットをカシメ力に抗して緩め方向に回転させ、上記ラッパ状に拡径変形した部分を元の状態に押し戻してナットをボルトから取り外すといったこともできる。【００１４】  さらに、ハンマー体のテーパー状外周部に例えば２個の係合突部を形成しておけば、ボルトの中央穴部とナットの円筒ネジ孔部とが所定角度でラッパ状に拡径変形されたとき、同時に上記係合突部により中央穴部と円筒ネジ孔部とが２個所で突部係合することになり、その結果、ラッパ状に拡径変形と突部係合との相乗効果で、両者における緩み止め効果がより強固に発揮できる。
【図面の簡単な説明】
【００１５】
【図１】本考案構造を備えたボルトとナットの結合状態を示す一部切欠正面図である。
【図２】同ボルトとナットの使用前の一部切欠正面図である。
【図３】同ボルトにナットを仮螺着した状態の正面図である。
【図４】別のハンマー体の形状を示す一部縦断側面図である。
【図５】同ハンマー体によるカシメ部分の横断端面図である。
【考案を実施するための形態】
【００１６】  以下本考案に係るボルトとナットの緩み止め構造の実施の形態を図に基づいて説明する。
【００１７】  図１及び図２において、１は頭部１ａとネジ軸１ｂとからなるボルトで、そのネジ軸１ｂ先端部に軸方向に延びる円筒状の中央穴部１ｃが形成されている。
【００１８】  ２はボルト１に螺合されるナットで、六角ナット本体２ａの軸方向一端にフランジ２ｂを備えると共に、軸方向他端に上方に向けて変形可能なように所定長さで薄肉の円筒ネジ孔部２ｃが一体に突出形成されている。また、フランジ２ｂは皿状で、その座面側内径部分に締結時フランジ２ｂに弾力を持たせるための切欠部２ｄが形成されている。これにより例えばアルミ材などの柔らかい被締結部材４を締結するときにフランジ２ｂを撓ませてフランジ２ｂの被締結部材Ａにおける座面への陥没を阻止し、同時にフランジ２ｂの弾性復元力による非回転状態の緩み止め機能を具備するようにしている。
【００１９】  また、３はエアーハンマーにおけるエアーガンの先端部に取り付けられる先端がテーパー状のハンマー体を示す。このハンマー体３の上記ボルト１の中央穴部１ｃへの押し込みにより、ボルト１の中央穴部１ｃとナット２の円筒ネジ孔部２ｃとを段階的に拡径変形させる一方、ハンマー体３の先端には、図２に示すようにボルト１の中央穴部１ｃの底面に当接して上記ハンマー体３の押し込み量を規制する規制体４が突出長さ調整可能に突設されている。つまり、この規制体４は、ボルト１の長さや中央穴部１ｃの深さなどに合わせて、その突出量の調整や、厚みの異なるものとの交換することが可能となっており、この規制体４の突出長さｔの調整により、ボルト１の中央穴部１ｃと薄肉円筒ネジ孔部２ｃとが求める所定角度θでラッパ状に拡径変形されるようになっている。なお、エアーハンマーの全体構成としては、コンプレッサーと、コンプレッサーに連通連結されるエアーガンと、エアーガンの先に装着される図２に示すハンマー体３とからなるものであるが、ハンマー体３以外のエアーハンマーの構造は既知のものであるのでその構造及び作用については省略する。
【００２０】  次に、本考案の緩み止め構造を備えたボルトとナットの作用について説明する。
【００２１】  まず、図３に示すように被締結部材Ａを貫通するボルト１のネジ軸１ｂにナット２を螺合して、ナット２のフランジ２ｂが撓んで図１で示すように扁平状となるまで緊締する。次に、エアーハンマーを用い、そのテーパー状ハンマー体３をボルト１の中央穴部１ｃに、エアー圧を利用して小刻みに打ち込みながら軸方向から段階的に圧入する。これにより図１に示すようにボルト１の中央穴部１ｃとナット２の円筒ネジ孔部２ｃとを一緒にラッパ状に拡径変形させ、これにより両者の緩み止めを行うのである。
【００２２】  この際、ナット２におけるフランジ２ｂの座面側で内径部に、フランジ２ｂに弾力を持たせるための切欠部２ｄが形成されているので、柔らかいアルミなどの被締結部材Ａを締結するときにフランジ２ｂを撓ませてフランジ２ｂの被締結部材Ａにおける座面への陥没を阻止すると同時に、弾性復元力による非回転状態の緩み止め機能を発揮できる。
【００２３】  また、テーパー状のハンマー体３の先端には、ボルト１の中央穴部１ｃの底面に当接して押し込み量を規制する規制体４が突出長さ調整可能に突設されており、この規制体４の突出長さ調整によりボルト１の中央穴部１ｃとナット２の円筒ネジ孔部２ｃとが常に所定角度θでラッパ状に拡径変形できるように構成されているので、常に所定の力でカシメ止めでき、バラツキのない確実な緩み止め効果が得られる。また、求めるカシメ力に設定できることから、メンテナンスなどによりナットをボルトから取り外す必要性が生じた場合にも、ナット２をカシメ力に抗して緩め方向に回転させ、上記ラッパ状に拡径変形した部分を元の状態に押し戻してナット２をボルト１から取り外すといったこともできる。
【００２４】  図４及び図５は、特に強固に緩み止めを行う場合に使用するエアーハンマーのハンマー体３を示すもので、テーパー状ハンマー体３のテーパー状外周部に、２個の係合突部３ａ，３ａが形成されたものである。この係合突部３ａ，３ａをもつハンマー体３を、締結状態にあるボルト１の中央穴部１ｃに圧入した場合、ボルト１の中央穴部１ｃとナット２の円筒状ネジ部２ｃが所定角度θでラッパ状に拡径変形されると同時に、図５に示すように係合突部３ａ，３ａにより膨出された部分２個所が突部係合することになる。その結果、ラッパ状に拡径変形と突部係合との相乗効果で、両者における緩み止め効果がより強固に発揮できる。なお、係合突部３ａは２個設けるほか、一個であってもよいし、２個以上であってもよい。
【００２５】  また、上記した実施の形態では、拡径工具としてエアーハンマーを用い、緩み止め作業が迅速容易に行えるようにしたけれども、エアーハンマーに代えてたとえば手持ちハンマーを用い、手で叩いて拡径変形させるようにしてもよい。
【符号の説明】
【００２６】１          ボルト
１ｂ        ネジ軸
１ｃ        中央穴部
２          ナット
２ａ        ナット本体
２ｂ        フランジ
２ｃ        円筒ネジ孔部
３          テーパー状ハンマー体
３ａ        係合突部
【図１】
0003182047.tif 000003
【図２】
0003182047.tif 000004
【図３】
0003182047.tif 000005
【図４】
0003182047.tif 000006
【図５】
0003182047.tif 000007